(57)【要約】【課題】動作指令を出力したことによる正しい動作表示か、保守・運用者が復帰操作を忘れたことによる誤った動作表示かを判別することができる保護継電器を得る。【解決手段】動作表示器１１０Ａの下部に時間表示器１２０Ａが設けられている。電力系統に異常が発生すると、演算部が当該異常を検知し、第１の動作信号を出力する。動作表示器１１０Ａは、第１の動作信号を受けて動作表示を行い、時間表示器１２０Ａは、第１の動作信号が出力されてからの経過時間を表示する。【選択図】図２
2019062662.tif 000002
【特許請求の範囲】
【請求項１】
電力系統の異常時に、前記電力系統に設けられた遮断器を動作させる動作指令を出力したことを表示する動作表示器と、
前記動作指令を出力した時間に関する情報を表示する時間表示器と、
を備えた保護継電器。
【請求項２】
前記時間表示器は、前記動作指令を出力してからの経過時間を表示する請求項１に記載の保護継電器。
【請求項３】
前記時間表示器は、前記動作指令を出力した時刻を表示する請求項１に記載の保護継電器。
【請求項４】
前記時間表示器に電力を供給する電源部をさらに備えた請求項１から３のいずれか１項に記載の保護継電器。
【請求項５】
前記電源部はコンデンサである請求項４に記載の保護継電器。
【請求項６】
前記電力系統の異常時に、第１の動作信号を出力する演算部をさらに備え、
前記動作表示器は、前記演算部が前記第１の動作信号を出力したことを表示し、
前記時間表示器は、前記演算部が前記第１の動作信号を出力した時間に関する情報を表示する請求項１に記載の保護継電器。
【請求項７】
前記電力系統の異常時に、第１の動作信号を出力する演算部と、
前記第１の動作信号を受信時に、前記遮断器に対して当該遮断器を動作させる第２の動作信号を出力する出力部とをさらに備え、
前記動作表示器は、前記出力部が前記第２の動作信号を出力したことを表示し、
前記時間表示器は、前記出力部が前記第２の動作信号を出力した時間に関する情報を表示する請求項１に記載の保護継電器。
【請求項８】
前記電力系統の異常時に、第１の動作信号を出力する演算部と、
前記第１の動作信号を受信時に、前記遮断器に対して当該遮断器を動作させる第２の動作信号を出力する出力部とをさらに備え、
前記動作表示器は、前記第１の動作信号および前記第２の動作信号の両方の信号が出力されたことを表示し、
前記時間表示器は、前記前記第１の動作信号および前記第２の動作信号の両方の信号が出力された時間に関する情報を表示する請求項１に記載の保護継電器。
【発明の詳細な説明】
【技術分野】
【０００１】
この発明は、保護継電器に関し、特に遮断器を動作させる動作指令を出力したことを表示する動作表示器を備えた保護継電器に関する。
【背景技術】
【０００２】
保護継電器は、電力系統から入力される電流量等から電力系統の異常を検知して遮断器を動作させ、異常区間を電力系統から切り離すことで電力系統および各種電気機器を保護する機器である。また、保護継電器は、遮断器を動作させる動作指令を出力したことの表示（以下、動作表示という）を行う動作表示器を備えている。この動作表示器によって、保守・運用者は動作指令の出力状況を確認する。
【０００３】
従来のこの種の保護継電器では、保守・運用者によって電力系統の異常が除去されたことを確認すると、手動で動作表示を解除する復帰操作を行っていた。
【先行技術文献】
【特許文献】
【０００４】
【特許文献１】特開昭６０−２６４１３号公報
【発明の概要】
【発明が解決しようとする課題】
【０００５】
上記した保護継電器では、保守・運用者が復帰操作を忘れると、電力系統の異常が除去されたにもかかわらず、動作表示は保持される。そのため、動作表示されている場合、保護継電器が動作指令を出力したことによる正しい動作表示か、保守・運用者が復帰操作を忘れたことによる誤った動作表示かが判別できないという課題がある。
【０００６】
この発明は、上記のような課題を解決するためになされたもので、動作指令を出力されたことによる正しい動作表示か、保守・運用者が復帰操作を忘れたことによる誤った動作表示かを判別することができる保護継電器を得るものである。
【課題を解決するための手段】
【０００７】
この発明に係る保護継電器は、電力系統の異常時に、電力系統に設けられた遮断器を動作させる動作指令を出力したことを表示する動作表示器と、動作指令を出力した時間に関する情報を表示する時間表示器とを備えたものである。
【発明の効果】
【０００８】
上記のように構成された保護継電器は、動作指令を出力した時間に関する情報を表示する時間表示器を設けたので、動作指令を出力したことによる正しい動作表示か、復帰操作を忘れたことによる誤った動作表示かを判別することができる。
【図面の簡単な説明】
【０００９】
【図１】実施の形態１を示す保護継電器の構成図である。
【図２】実施の形態１を示す保護継電器の斜視図である。
【図３】実施の形態１を示す動作表示器の表示例である。
【図４】実施の形態１を示す時間表示器の表示例である。
【図５】実施の形態１を示す保護継電器の一連の動作における動作表示器および時間表示器の表示例である。
【図６】実施の形態１の変形例を示す保護継電器の斜視図である。
【図７】実施の形態２を示す保護継電器の構成図である。
【図８】実施の形態３を示す保護継電器の構成図である。
【図９】実施の形態４を示す保護継電器の構成図である。
【発明を実施するための形態】
【００１０】
（実施の形態１）
以下では、一実施形態である保護継電器１００Ａの概略構成について図１および図２を用いて説明する。
【００１１】
（保護継電器１００Ａの概略構成）
図１は、本実施の形態１における保護継電器１００Ａの概略構成を示すブロック図である。保護継電器１００Ａは、電力系統から入力された電圧および電流の情報に基づいて演算処理を行うことで、電力系統に事故等の異常が発生したことを検知し、遮断器を動作させるための動作指令を出力する。これにより、異常区間を電力系統から切り離し、電力系統および各種電気機器の保護を行う。なお、電流および電圧のいずれか一方のみを演算処理に使用する場合、保護継電器１００Ａは、演算に必要な電流または電圧のいずれか一方を収集するように構成されていてもよい。
【００１２】
保護継電器１００Ａは、具体的には、入力部１０２、演算部１０４、出力部１０６、動作表示器１１０Ａおよび時間表示器１２０Ａで構成される。入力部１０２は、図示しない変成器から入力された、電力系統における電圧および電流のアナログ信号をディジタル信号に変換する。演算部１０４は、入力部１０２からのディジタル信号を用いて各種の演算処理を行い、電力系統に事故等の異常が発生したことを検知し、図示しない遮断器を動作させるか否かの判定（以下、動作判定という）を行う。動作判定の結果、遮断器を動作させる必要があると判定した場合、演算部１０４は、出力部１０６を起動させるための第１の動作信号を当該出力部１０６に対して出力する。出力部１０６は、第１の動作信号を受信することで起動し、遮断器に対して当該遮断器を動作させるための第２の動作信号を出力する。なお、本明細書中では、第１の動作信号および第２の動作信号を総称して動作指令とも表現する。動作表示器１１０Ａは、第１の動作信号を受けて動作表示を行う。時間表示器１２０Ａは、演算部１０４が第１の動作信号を出力した時間に関する情報として、演算部１０４が第１の動作信号を出力してからの経過時間を表示する。時間表示器１２０Ａの詳細については後述する。
【００１３】
図２は、保護継電器１００Ａの外観を示す斜視図である。保護継電器１００Ａは、筐体１３０および操作パネル１３２を備えている。
【００１４】
筐体１３０は、円筒状の容器であり、内部には保護継電器１００Ａを動作させるために必要な演算部等の回路が実装された図示しない基板が収納されている。
【００１５】
操作パネル１３２は、板状であり、筐体１３０に取り付けられている。操作パネル１３２の表面には、数値表示部１３４、操作部１３６、動作表示器１１０Ａおよび時間表示器１２０Ａが設けられている。また、操作パネル１３２の下部には、復帰ボタン１３８が設けられている。数値表示部１３４は、例えば７セグメントＬＥＤ等で構成されており、計測値等の各種数値を表示する。操作部１３６は、つまみやボタンで構成されており、表示したい数値の選択や、各種設定を行う。なお、操作部１３６は、操作に必要な数だけ設けられており、例えば３つ設けられている。
【００１６】
動作表示器１１０Ａは、例えば磁気反転式の表示器であり、動作表示を行うために設けられた表示器である。動作表示器１１０Ａは、両面でそれぞれ異なる色に着色された表示板を有し、当該表示版が磁力によって反転することで動作表示を行う。また、操作パネル１３２には、開口部である動作表示確認窓が設けられており、動作表示器１１０Ａは当該動作表示確認窓から上記表示板が認識可能に設けられている。動作表示器１１０Ａの表示例を図３に示す。動作表示が解除されている場合、図３（ａ）に示すように、動作表示器１１０Ａの表示板は操作パネル１３２と同色（例えば黒色）に着色された面が動作表示確認窓から認識可能に保持されている。一方、動作表示している場合、図３（ｂ）に示すように、動作表示器１１０Ａの表示板は磁力で反転し、操作パネル１３２と異なる色（例えば黄色）に着色された面が動作表示確認窓から認識可能に保持されている。なお、動作表示器１１０Ａは、動作表示に必要な数だけ設けられており、例えば１つ設けられている。
【００１７】
図２に戻り、時間表示器１２０Ａは、動作表示器１１０Ａの下部に設けられ、７セグメントＬＥＤ等で構成されている。時間表示器１２０Ａの表示例については後述する。なお、時間表示器１２０Ａは、表示に必要な数だけ設けられており、例えば１つ設けられている。復帰ボタン１３８は、復帰操作の際に動作表示器１１０Ａの動作表示および時間表示器１２０Ａの表示を解除（リセット）するためのボタンである。復帰ボタン１３８を押し上げることで動作表示が解除されるとともに、時間表示器１２０Ａの表示がリセットされる。
【００１８】
（時間表示器１２０Ａの構成）
時間表示器１２０Ａの構成について、図４を用いて説明する。
【００１９】
時間表示器１２０Ａは、上記のとおり、演算部が第１の動作信号を出力した時間に関数情報として、演算部が第１の動作信号を出力してからの経過時間を表示するものであり、当該経過時間を例えば時および分で表示する。図４（ａ）に示すように、演算部が第１の動作信号を出力してから１時間５分が経過した場合、時間表示器１２０Ａは「０１：０５」と表示する。また、時間表示器１２０Ａが表示できる時間の最大値は、演算部が第１の動作信号を出力してから保守・運用者が保護継電器の各種表示を確認するまでの時間よりも大きい（例えば２時間）。なお、演算部が第１の動作信号を出力してからの経過時間が時間表示器１２０Ａの表示できる時間の最大値を超えた場合や、復帰操作した場合、当該時間表示器１２０Ａの表示はリセットされる。図４（ｂ）に示すように、時間表示器１２０Ａの表示がリセットされた場合、時間表示器１２０Ａは「００：００」と表示する。
【００２０】
（保護継電器１００Ａの動作）
電力系統に異常が発生していない状態（以下、定常状態という）から異常が発生し、当該異常が除去され再び定常状態となるまでの一連の保護継電器の動作について、図５を用いて説明する。図５は、上記一連の保護継電器の動作における、動作表示器１１０Ａおよび時間表示器１２０Ａの表示例を示す図である。
【００２１】
まず、動作表示器１１０Ａの復帰操作を正しく行った場合について説明する。定常状態の時、図５（ａ）に示すように、動作表示器１１０Ａの動作表示は解除されており、時間表示器１２０Ａはリセットされた状態である。
【００２２】
電力系統に異常が発生した場合、演算部は当該異常を検知し、第１の動作信号を出力する。動作表示器１１０Ａは、第１の動作信号を受けて動作表示を行う。また、時間表示器１２０Ａは演算部が第１の動作信号出力してからの経過時間の表示を開始する。保守・運用者は、保護継電器が動作指令を出力したことを遠隔監視装置等で確認すると、保護継電器が設置された場所に向かい、保護継電器の各種表示を確認する。保守・運用者が保護継電器の各種表示を確認した時の動作表示器１１０Ａおよび時間表示器１２０Ａの表示例を図５（ｂ）に示す。図５（ｂ）に示すように、動作表示器１１０Ａは動作表示されており、時間表示器１２０Ａは、演算部が第１の動作信号を出力してから３５分経過したこと示す「００：３５」を表示している。これらの表示によって、保守・運用者は、保護継電器の演算部が第１の動作信号を３５分前に出力したことがわかる。
【００２３】
その後、電力系統の異常が除去され、定常状態に戻ったことを保守・運用者が確認すると、保守・運用者は、復帰ボタンを押し上げ、動作表示器１１０Ａおよび時間表示器１２０Ａの表示を解除（リセット）する。この時の動作表示器１１０Ａおよび時間表示器１２０Ａの表示例を図５（ｃ）に示す。図５（ｃ）に示すように、動作表示器１１０Ａは動作表示が解除され、時間表示器１２０Ａの表示はリセットされている。すなわち、図５（ａ）と同一の表示に戻る。
【００２４】
続いて、保守・運用者が動作表示器１１０Ａの復帰操作を忘れた場合の保護継電器の動作について説明する。定常状態の時、上記と同様に図５（ａ）に示すように、動作表示器１１０Ａの動作表示は解除されており、時間表示器１２０Ａはリセットされた状態である。
【００２５】
電力系統に異常が発生した場合、上記と同様に動作表示器１１０Ａは、第１の動作信号を受けて動作表示を行い、時間表示器１２０Ａは演算部が第１の動作信号出力してからの経過時間の表示を開始する。保守・運用者が保護継電器の各種表示を確認した時は、図５（ｂ）に示すように、動作表示器１１０Ａ動作表示されており、時間表示器１２０Ａは、演算部が第１の動作信号を出力してから３５分経過したことを示す「００：３５」を表示している。
【００２６】
その後、電力系統の異常が除去され、定常状態に戻ったことを保守・運用者が確認したが、復帰ボタンによる復帰操作を忘れた場合、動作表示器１１０Ａは動作表示を保持し、時間表示器１２０Ａは、経過時間の表示を継続する。
【００２７】
保守・運用者が復帰操作を忘れてからさらに時間が経過し、時間表示器１２０Ａが表示できる時間の最大値を超えると、当該時間表示器１２０Ａの表示はリセットされる。時間表示器１２０Ａの表示がリセットされた後、保守・運用者が例えば月に１回の定期点検等で保護継電器の各種表示を確認した時の動作表示器１１０Ａおよび時間表示器１２０Ａの表示例を図５（ｄ）に示す。図５（ｄ）に示すように、動作表示器１１０Ａは動作表示されているが、時間表示器１２０Ａはリセットされている。これらの表示によって、保守・運用者は、時間表示器１２０Ａが表示できる時間の最大値（例えば２時間）よりも以前に、第１の動作信号が出力されたことがわかる。
【００２８】
（効果）
以上述べたように、本実施例にて示した保護継電器１００Ａにあっては、演算部１０４が第１の動作信号を出力した時間に関する情報を表示する時間表示器１２０Ａを設けたので、第１の動作信号を出力したことによる正しい動作表示か、復帰操作を忘れたことによる誤った動作表示かを判別することができる。従来の保護継電器は、動作表示の有無を表示する動作表示器しか設けられていなかった。一方、本実施例の保護継電器１００Ａは、従来の動作表示器１１０Ａに加えて、第１の動作信号が出力されてからの経過時間を表示する時間表示器１２０Ａを設けた。そのことで、保守・運用者は、いつ第１の動作信号が出力されたかがわかる。通常、電力系統に異常が発生してから（演算部１０４が第１の動作信号を出力してから）遅くとも２時間で保守・運用者は保護継電器の各種表示を確認する。そのため、時間表示器１２０Ａの表示を確認し、上記時間よりも最近に第１の動作信号が出力されている場合は、正しい動作表示であり、上記時間よりも前に第１の動作信号が出力されている場合は、復帰操作を忘れたことによる誤った動作表示であるとわかる。すなわち、時間表示器１２０Ａを設けたことで、第１の動作信号を出力したことによる正しい動作表示か、復帰操作を忘れたことによる誤った動作表示かを判別することができる。
【００２９】
また、磁気反転式の動作表示器１１０Ａの場合、動作表示は当該動作表示器１１０Ａに設けられる鉄心の残留磁気によって保持される。そのため、電磁ノイズ等によって鉄心の磁極が変化すると、動作指令が出力されていないにもかかわらず表示板が反転し、誤った動作表示をすることがある。本実施例の保護継電器１００Ａにおいては、演算部１０４が第１の動作信号を出力しない限り時間表示器１２０Ａはリセットされたままとなるため、動作表示器１１０Ａが電磁ノイズによる誤った動作表示を行った場合であっても、上記と同様に第１の動作信号を出力したことによる正しい動作表示か、誤った動作表示かを判別することができる。
【００３０】
（変形例）
本実施例の変形例の保護継電器１００Ｂの時間表示器１２０Ｂは、演算部が第１の動作信号の出力した時刻を表示するものである。先述した実施の形態１の時間表示器１２０Ａでは、演算部が第１の動作信号を出力してからの経過時間を表示する例を示したが、本実施例の変形例の時間表示器１２０Ｂでは、第１の動作信号を出力した時間に関する情報として、演算部が第１の動作信号を出力した時刻を表示する。図６に示すように、時間表示器１２０Ｂは、演算部が第１の動作信号を出力した時刻を日時で表示し、上段に日付、下段に時間を表示する。図６に示すとおり、演算部が第１の動作信号を４月２５日午後１時５分に出力した場合、時間表示器１２０Ｂは上段に「０４／２５」と表示し、下段に「１３：０５」と表示する。
【００３１】
このように、時間表示器１２０Ｂが、第１の動作信号の出力した時刻を表示した場合でも、実施の形態１の保護継電器１００Ａと同様に第１の動作信号を出力した時間がわかるため、実施の形態１と同様の効果を奏する。
【００３２】
さらに本実施例の変形例の保護継電器１００Ｂにあっては、時間表示器１２０Ｂは、演算部１０４が第１の動作信号の出力した時刻を表示するため、いつ第１の動作信号が出力されたかに関わらず、当該第１の動作信号が出力された時間をより具体的に確認することができる。先述した実施の形態１の時間表示器１２０Ａでは、保守・運用者が復帰操作を忘れてからさらに時間が経過し、時間表示器１２０Ａが表示できる時間の最大値を超えると、当該時間表示器１２０Ａの表示はリセットされるため、当該最大値よりも前に第１の動作信号が出力されたことは確認できるが、具体的な出力時刻を確認することはできない。しかし、本実施例の変形例の時間表示器１２０Ｂは、第１の動作信号が出力された時刻を表示するため、いつ第１の動作信号が出力されたかに関わらず、第１の動作信号が出力された時間をより具体的に確認することができる。
【００３３】
本実施例の保護継電器１００Ｂにおける他の構成は、実施の形態１の保護継電器１００Ａと同様である。したがって、保護継電器１００Ｂにおいて、時間表示器１２０Ｂが、第１の動作信号が出力された時刻を表示することに関する事項以外の説明は、実施の形態１の保護継電器１００Ａで説明のとおりである。
【００３４】
（実施の形態２）
実施の形態２の保護継電器１００Ｃの概略構成について図７を用いて説明する。なお、図７中、図１と同一符号は同一または相当部分を示す。本実施例の保護継電器１００Ｃは、実施の形態１の保護継電器１００Ａに対して、時間表示器１２０Ｃに電力を供給する電源部１４０としてコンデンサをさらに設けたものである。
【００３５】
保護継電器１００Ｃは、図示しない変成器の２次側から保護継電器１００Ｃの制御用電源の電力を得ている。つまり、保護継電器１００Ｃは、電力系統から制御用電源の電力を得ている。そのため、遮断器が動作して保護継電器１００Ｃが電力系統から切り離された状態では、保護継電器１００Ｃは制御用電源を失う。
【００３６】
また、保護継電器１００Ｃは、時間表示器１２０Ｃに電力を供給する電源部１４０としてコンデンサを有している。電源部１４０は、電力系統の定常状態の時には保護継電器１００Ｃの制御用電源によって電気エネルギーを蓄電している。電力系統に異常が発生し、遮断器が動作して保護継電器１００Ｃが電力系統から切り離された場合、保護継電器１００Ｃは制御用電源を失うが、電源部１４０は、コンデンサに蓄電された電気エネルギーを時間表示器１２０Ｃに供給する。この時、コンデンサに蓄電された電気エネルギーを時間表示器１２０Ｃに供給する時間（コンデンサの放電時間）を制御するために、コンデンサと時間表示器１２０Ｃとの間に電気抵抗等を設けてよい。上記の説明により、制御用電源を失った状態であっても時間表示器１２０Ｃは、電源部１４０であるコンデンサから供給される電気エネルギーによって、演算部が第１の動作信号を出力してからの経過時間の表示を継続する。
【００３７】
このように構成された本実施例に示された保護継電器１００Ｃにあっても、演算部１０４が第１の動作信号を出力した時間に関する情報を表示する時間表示器１２０Ｃを設けたので、第１の動作信号を出力したことによる正しい動作表示か、復帰操作を忘れたことによる誤った動作表示かを判別することができる。さらに、本実施例の保護継電器１００Ｃは、時間表示器１２０Ｃに電気エネルギーを供給する電源部１４０であるコンデンサをさらに設けた。このことで、電力系統に異常が発生して保護継電器１００Ｃの制御用電源を失った状態であっても、時間表示器１２０Ｃは演算部１４０が第１の動作信号を出力してからの経過時間を表示することができる。つまり、電力系統から制御用電源の電源を得るタイプの保護継電器１００Ｃであっても、第１の動作信号を出力したことによる正しい動作表示か、復帰操作を忘れたことによる誤った動作表示かを判別することができる。
【００３８】
本実施例の保護継電器１００Ｃにおける他の構成は、実施の形態１の保護継電器１００Ａと同様である。したがって、保護継電器１００Ｃにおいて、時間表示器１２０Ｃに電気エネルギーを供給する電源部１４０をさらに設けたことに関する事項以外の説明は、実施の形態１の保護継電器１００Ａで説明のとおりである。
【００３９】
（実施の形態３）
実施の形態３の保護継電器１００Ｄの概略構成について図８を用いて説明する。なお、図８中、図１と同一符号は同一または相当部分を示す。本実施例の保護継電器１００Ｄは、時間表示器１２０Ｄが第２の動作信号の出力からの経過時間を表示するものである。
【００４０】
保護継電器１００Ｄは、入力部１０２、演算部１０４、出力部１０６、動作表示器１１０Ｄおよび時間表示器１２０Ｄで構成され、動作表示器１１０Ｄは、出力部１０６が出力した第２の動作信号を受けて動作表示を行う。時間表示器１２０Ｄは、出力部１０６が第２の動作信号を出力してからの経過時間を表示する。
【００４１】
このように構成された本実施例に示された保護継電器１００Ｄにあっても、出力部１０６が第２の動作信号を出力した時間に関する情報を表示する時間表示器１２０Ｄを設けたので、第２の動作信号を出力したことによる正しい動作表示か、復帰操作を忘れたことによる誤った動作表示かを判別することができる。さらに、本実施例の保護継電器１００Ｄは、時間表示器１２０Ｄが第２の動作信号の出力からの経過時間を表示するため、時間表示器１２０Ｄの表示の信頼性を高めることができる。例えば、演算部１０４と出力部１０６との間で断線等が生じて、演算部１０４は第１の動作信号を出力したが、出力部１０６が当該第１の動作信号を受信できなかった場合、出力部１０６は第２の動作信号を出力しないため、結果として遮断器は動作しない。また、出力部１０６が第２の動作信号を出力していないため、動作表示器１１０Ｄは動作表示を行わず、時間表示器１２０Ｄは経過時間の表示を行わない。つまり、出力部１０６が第２の動作信号を出力した場合にのみ時間表示器１２０Ｄは表示を行うため、時間表示器１２０Ｄの表示の信頼性を高めることができる。
【００４２】
本実施例の保護継電器１００Ｄにおける他の構成は、実施の形態１の保護継電器１００Ａと同様である。したがって、出力部１０６が第２の動作信号を出力してからの経過時間を表示する時間表示器１２０Ｄを設けたことに関する事項以外の説明は、実施の形態１の保護継電器１００Ａで説明のとおりである。
【００４３】
（実施の形態４）
実施の形態４の保護継電器１００Ｅの概略構成について図９を用いて説明する。なお、図９中、図１と同一符号は同一または相当部分を示す。本実施例の保護継電器１００Ｅは、時間表示器１２０Ｅが、第１の動作信号および第２の動作信号の両方の信号が出力されてからの経過時間を表示するものである。
【００４４】
保護継電器１００Ｅは、入力部１０２、演算部１０４、出力部１０６、動作表示器１１０Ｅおよび時間表示器１２０Ｅで構成され、動作表示器１１０Ｅは、演算部１０４が出力した第１の動作信号および出力部１０６が出力した第２の動作信号の両方の信号の出力を受けた場合にのみ動作表示を行う。また、時間表示器１２０Ｅは、演算部１０４が出力した第１の動作信号および出力部１０６が出力した第２の動作信号の両方の信号が出力されてからの経過時間を表示する。すなわち、時間表示器１２０Ｅは、演算部１０４が第１の動作信号を出力しただけでは、経過時間の表示を開始しない。また、出力部１０６が第２の動作信号を出力しただけの場合も、経過時間の表示を開始しない。
【００４５】
このように構成された本実施例に示された保護継電器１００Ｅにあっても、演算部１０４が出力した第１の動作信号および出力部１０６が出力した第２の動作信号の両方の信号が出力された時間に関する情報を表示する時間表示器１２０Ｅを設けたので、第１おの動作信号および第２の動作信号を出力したことによる正しい動作表示か、復帰操作を忘れたことによる誤った動作表示かを判別することができる。さらに、本実施例の保護継電器１００Ｅは、時間表示器１２０Ｅが第１の動作信号および第２の動作信号の両方の信号が出力されてからの経過時間を表示するため、時間表示器１２０Ｅの表示の信頼性をさらに高めることができる。出力部１０６は、通常トランジスタ等で構成され、当該トランジスタは経年劣化によって誤動作する場合がある。つまり、電力系統に事故等の異常が発生していないにもかかわらず、出力部１０６が第２の動作信号を出力してしまう場合がある。この場合、第２の動作信号は出力されるが第１の動作信号は出力されていないため、動作表示器１１０Ｅは動作表示を行わず、時間表示器１２０Ｅは経過時間の表示を行わない。よって、第１の動作信号および第２の動作信号の両方の信号が出力された場合にのみ時間表示器１２０Ｅは経過時間の表示を行うため、時間表示器１２０Ｅの表示の信頼性をさらに高めることができる。
【００４６】
（その他の実施形態）
本発明に係る保護継電器は、前記実施の形態に限らずその要旨の範囲内において変更可能である。例えば、上記した実施の形態に示した電源部はコンデンサで説明したが、これに限られるものではなく、リチウムイオン電池等であってもよい。また、前記の各実施の形態の構成を適宜組み合わせてもよい。
【符号の説明】
【００４７】
１００Ａ〜１００Ｅ  保護継電器、１０４  演算部、１０６  出力部、
１１０Ａ〜１１０Ｅ  動作表示器、１２０Ａ〜１２０Ｅ  時間表示器、１４０  電源部。
【図１】
2019062662.tif 000003
【図２】
2019062662.tif 000004
【図３】
2019062662.tif 000005
【図４】
2019062662.tif 000006
【図５】
2019062662.tif 000007
【図６】
2019062662.tif 000008
【図７】
2019062662.tif 000009
【図８】
2019062662.tif 000010
【図９】
2019062662.tif 000011